(57)【要約】【課題】吹出方向を外側方向に変更する時の操作力と中央方向に変更する時の操作力との差を小さくする。【解決手段】 風向調整機構１００は、固定突起１２が形成されている固定板１０と、固定板１０と平行に移動し、固定突起１２が侵入した円弧状の角度保持溝２２が形成されている可動板２０と、固定板１０と可動板２０とに跨がって立設された互いに平行な複数枚の風向板３０と、を有し、角度保持溝２２の大径側内縁２３に、複数の落ち込み面２９と、落ち込み面２９同士の間で角度保持溝の小径側内縁２４に向かって突出している三角形状の乗り越え部分２５とが形成され、乗り越え部分２５の角度保持溝２２の内側斜面２６における内側傾斜角度Ａが、乗り越え部分２５の角度保持溝２２の中央とは反対側の外側斜面２７における外側傾斜角度Ｂよりも小さい。【選択図】図１
2014119176.tif 000002
【特許請求の範囲】
【請求項１】
表面に突出した固定突起が形成されている固定板と、前記固定板の表面と平行に移動し、前記固定突起が侵入した円弧状の角度保持溝が形成されている可動板と、前記固定板と前記可動板とに跨がって立設された互いに平行な複数枚の風向板と、を有し、
前記風向板には弾性変形する薄肉部分が設けられ、前記固定突起が前記角度保持溝の中央から離れた際、前記薄肉部分が曲げられることによって、前記可動板は前記固定板に対して円弧状の軌跡を描いて移動すると共に、前記角度保持溝の中央に向かって前記固定突起を近づけようとする弾性復元力が発生し、
前記角度保持溝の大径側の内縁に、複数の落ち込み面と、該落ち込み面同士の間で前記角度保持溝の小径側の内縁に向かって突出している三角形状の乗り越え部分とが形成され、前記可動板が前記固定板に対して移動する際、前記固定突起は前記乗り越え部分に押し付けられて摺動すると共に、前記落ち込み面に落ち込み、
前記複数の落ち込み面が、前記固定突起が描く円弧状の軌跡の曲率半径と同じ曲率半径である基準円弧上に配置され、かつ、前記乗り越え部分の前記角度保持溝の中央側に位置する斜面における前記基準円弧に対する傾斜角度が、前記乗り越え部分の前記角度保持溝の中央とは反対側に位置する斜面における前記基準円弧に対する傾斜角度よりも、小さいことを特徴とする風向調整機構。
【請求項２】
前記薄肉部分の曲げ変形の量は、前記固定突起が前記角度保持溝の中央から遠ざかる程、増大するものであって、
前記角度保持溝の中央から離れる程、前記乗り越え部分の前記角度保持溝の中央側に位置する斜面の前記基準円弧に対する傾斜角度が小さくなることを特徴とする請求項１記載の風向調整機構。
【請求項３】
前記角度保持溝の中央から離れる程、前記乗り越え部分の前記角度保持溝の中央とは反対側に位置する斜面の前記基準円弧に対する傾斜角度が大きくなることを特徴とする請求項１または２記載の風向調整機構。
【請求項４】
吸込口および吹出口がそれぞれ形成され、室内に設置される本体と、
前記吸込口から室内空気を吸い込んで、前記吹出口に至る風路を形成する送風機と、
前記風路に設置され、冷凍サイクルの一部を実行する熱交換器と、
前記吹出口に設置され、前記熱交換器において調和された空気の吹き出し方向を調整する請求項１〜３の何れか一項に記載の風向調整機構と、
を有することを特徴とする空気調和機の室内機。
【発明の詳細な説明】
【技術分野】
【０００１】
本発明は風向調整機構および空気調和機、特に、空気調和機の室内機に設置され調和空気の吹出方向を調整する風向調整機構、および該風向調整機構を有する空気調和機の室内機に関するものである。
【背景技術】
【０００２】
室内の壁面に設置された空気調和機の室内機は、調和空気の上下方向（鉛直方向）の吹出方向を調整する上下風向板（水平フラップ）と、調和空気の左右方向（水平方向）の吹出方向を調整する複数枚の左右風向板（垂直フラップ）とを有し、それぞれ所定の姿勢になるように電動あるいは手動によって動かされる。
複数枚の左右風向板は、室内機の吹出口に固定された支持部（固定板）と該支持部の表面と平行に移動する風向き調整部材（可動板）とに跨がって立設され、前記支持部の表面に対して垂直で、互いに平行な姿勢を維持するものである。
また、左右風向板には、部分的に曲げ変形を容易にする薄肉部分が設けられ、また、風向き調整部材に形成された円弧状の長孔に支持部に形成された固定爪が侵入している。したがって、風向き調整部材を移動すると、左右風向板は、薄肉部分が曲げられると共に、前記長孔に侵入した前記固定爪によって、移動自在に支持される。
【０００３】
そして、風向き調整部材を手動によって移動させる際に、クリック感を発生させると共に、風向き調整部材を所定の位置に固定させるために、風向き調整部材の一部（支持部の表面に対向する面）にラック状の凹凸部を形成し、一方、支持部の表面に前記ラック状の凹凸部に嵌合する凸部を形成した風向調整機構が開示されている（例えば、特許文献１参照）。
【先行技術文献】
【特許文献】
【０００４】
【特許文献１】特許第４６５４６６１号公報（第６−８頁、図５）
【発明の概要】
【発明が解決しようとする課題】
【０００５】
特許文献１に開示された風向調整機構の薄肉部分は、調和空気を左右方向の中央方向（前面方向）に向けて吹き出す際は変形しないで、左右方向の一方側（外側方向）に向けて吹き出す際に、弾性変形する。すなわち、吹出方向が一方側（外側方向）になる程、前記弾性変形量がより大きくなり、より大きな弾性力が作用する。
このため、風向き調整部材を移動させる際、支持部に形成された凸部が、風向き調整部材に形成された凹凸部を乗り越える（嵌合していた凹部から脱出する）ために必要な操作力は、前記弾性力によって変動することになる。
すなわち、吹出方向を中央方向から外側方向に変更する（以下、「外側移動」と称する）時は、前記弾性力は風向き調整部材の移動を妨げる方向に作用し、薄肉部分の弾性変形量が徐々に増大するため、操作力が徐々に増大して、操作が重くなってしまう。これに対し、吹出方向を外側方向から中央方向に変更する（以下、「内側移動」と称する）時は、前記弾性力は風向き調整部材の移動を助ける方向に作用し、薄肉部分の弾性変形量が徐々に開放されるため、操作力は徐々に低減し、操作が軽くなる。
つまり、外側移動の時と内側移動の時とで、操作力が相違することから、操作に違和感が生じるという問題があった。
【０００６】
本発明は、前記問題を解決するためになされたもので、第１の目的は、外側移動に必要な操作力と、内側移動に必要な操作力との差を小さくすることができる風向調整機構を得るものである。また、第２の目的は、かかる風向調整機構を有する空気調和機の室内機を得るものである。
【課題を解決するための手段】
【０００７】
本発明に係る風向調整機構は、表面に突出した固定突起が形成されている固定板と、前記固定板の表面と平行に移動し、前記固定突起が侵入した円弧状の角度保持溝が形成されている可動板と、前記固定板と前記可動板とに跨がって立設された互いに平行な複数枚の風向板と、を有し、前記風向板には弾性変形する薄肉部分が設けられ、前記固定突起が前記角度保持溝の中央から離れた際、前記薄肉部分が曲げられることによって、前記可動板は前記固定板に対して円弧状の軌跡を描いて移動すると共に、前記角度保持溝の中央に向かって前記固定突起を近づけようとする弾性復元力が発生し、前記角度保持溝の大径側の内縁に、複数の落ち込み面と、該落ち込み面同士の間で前記角度保持溝の小径側の内縁に向かって突出している三角形状の乗り越え部分とが形成され、前記可動板が前記固定板に対して移動する際、前記固定突起は前記乗り越え部分に押し付けられて摺動すると共に、前記落ち込み面に落ち込み、前記複数の落ち込み面が、前記固定突起が描く円弧状の軌跡の曲率半径と同じ曲率半径である基準円弧上に配置され、かつ、前記乗り越え部分の前記角度保持溝の中央側に位置する斜面における前記基準円弧に対する傾斜角度が、前記乗り越え部分の前記角度保持溝の中央とは反対側に位置する斜面における前記基準円弧に対する傾斜角度よりも、小さいことを特徴とする。
【発明の効果】
【０００８】
本発明に係る風向調整機構は、吹出方向が外側吹出のとき、固定突起が角度保持溝の中央から離れているから、角度保持溝の中央に固定突起を近づけようとする弾性復元力が発生している。また、固定突起は角度保持溝の大径側の内縁に押し付けられているから、固定突起が乗り越え部分を乗り越える際、固定突起には乗り越えを阻止しようとする乗り越え阻止力が作用する。
そのため、固定突起を角度保持溝の中央とは反対の方向に移動（外側移動）させる際に必要となる外側移動操作力は弾性復元力分だけ減少された上で、乗り越え阻止力に等しくなり、固定突起を角度保持溝の中央の方向に移動（内側移動）させる際に必要となる外側移動操作力は弾性復元力分だけ増加された上で、乗り越え阻止力に等しくなる。
このとき、外側移動の際に固定突起が摺動する斜面における傾斜角度が、内側移動の際に固定突起が摺動する斜面における傾斜角度よりも小さくなっているため、外側移動操作力と内側移動操作力との差が小さくなる（その理由については別途詳細に説明する）。
よって、外側移動に必要な操作力と内側移動に必要な操作力との差が小さくなるから、操作における違和感が少なくなる。
【図面の簡単な説明】
【０００９】
【図１】本発明の実施の形態１に係る風向調整機構を説明する斜視図。
【図２】図１に示す風向調整機構の一部の構造を拡大して示す平面図。
【図３ａ】図１に示す風向調整機構の動作を説明する一部を拡大して示す平面図。
【図３ｂ】図１に示す風向調整機構の動作を説明する一部を拡大して示す平面図。
【図３ｃ】図１に示す風向調整機構の動作を説明する一部を拡大して示す平面図。
【図４】図１に示す風向調整機構の作用効果を説明するための模式図および数式。
【図５】本発明の実施の形態２に係る空気調和機の室内機を斜め上方から見た斜視図。
【図６】図５に示す室内機の部材を分離して示す斜め上方から見た斜視図。
【図７】図５に示す室内機の断面図。
【図８】図５に示す室内機を斜め下方から見た斜視図。
【図９】図５に示す室内機の一部を拡大して示す斜め下方から見た斜視図。
【発明を実施するための形態】
【００１０】
［実施の形態１］
図１〜図４は、本発明の実施の形態１に係る風向調整機構を説明するものであって、図１は斜視図、図２は一部の構造を拡大して示す平面図、図３ａ〜図３ｃは動作を説明する一部を拡大して示す平面図、図４は作用効果を説明するための模式図および数式である。なお、各図は模式的に描いたものであって、本発明は図示された形態に限定するものではない。
【００１１】
（風向調整機構）
図１〜図３において、風向調整機構１００は、表面１１に突出した固定突起１２ａ、１２ｂ、１２ｃが形成されている固定板１０と、固定板１０の表面１１と平行に移動し、固定突起１２ａ、１２ｂ、１２ｃがそれぞれ侵入した円弧状の角度保持溝２２ａ、２２ｂ、２２ｃが形成されている可動板２０と、固定板１０と可動板２０とに跨がって立設された互いに平行な複数枚の風向板３０ａ、３０ｂ・・・３０ｆを有している。
なお、説明の便宜上、固定板１０および可動板２０は平坦な板材としているから、固定板１０の表面１１と可動板２０の表面２１は平行になっている（以下、表面１１および表面２１に平行な面を「水平」または「水平面」と称する）。
【００１２】
以下、同じ内容の説明においては、符号の子番「ａ、ｂ・・・ｆ」の記載を省略する。さらに、固定突起１２および角度保持溝２２は３個所に限定するものではなく、また、風向板３０は６枚に限定するものではない。
なお、可動板２０には、可動板２０の手動によって移動させる際の掴みを容易にするための掴み用拡張部４０と、掴み用拡張部４０の先端部に立設された掴み用突起４１とが設けられているが、可動板２０を手動に代えて、電動モーター等によって移動させる場合には、掴み用拡張部４０や掴み用突起４１の設置を省略してもよい。
【００１３】
（風向板）
風向板３０は、固定板１０の表面１１に固定され、固定板１０の長手方向に対して垂直の方向に突出した固定側水平部分３１と、固定側水平部分３１の先端に形成され、固定板１０の表面１１に対して垂直な固定側垂直部分３２と、可動板２０の表面２１に対して垂直に固定された可動側垂直部分３６とを具備している。
そして、固定側垂直部分３２に固定側薄肉部分３３を介して、また、可動側垂直部分３６に可動側薄肉部分３５を介して接続された羽根部分３４を有している。
したがって、図３ｂに示すように、可動板２０が固定板１０に対して水平面内を移動した際、固定側薄肉部分３３と可動側薄肉部分３５とが曲げられるため、羽根部分３４は水平面に対して垂直であるものの、固定板１０の長手方向に対して垂直でなくなる（傾斜する）。
【００１４】
（基準円弧）
可動板２０は、固定板１０に対して、水平面内で、固定側薄肉部分３３と可動側薄肉部分３５との距離（羽根部分３４の幅よりも僅かに大きな値に相当する）を曲率半径とする円弧状の軌跡を描いて移動する。このことは、固定突起１２ａ、１２ｂ、１２ｃが可動板２０に対して、水平面内で前記曲率半径とする円弧状の軌跡を描いて移動することに同じである。
角度保持溝２２ａ、２２ｂ、２２ｃは、前記曲率半径に対応した円弧状であって、固定突起１２ａ、１２ｂ、１２ｃがそれぞれ摺動する大径側内縁２３ａ、２３ｂ、２３ｃと、固定突起１２ａ、１２ｂ、１２ｃをそれぞれ侵入自在にする隙間（幅）を形成する小径側内縁２４ａ、２４ｂ、２４ｃとを具備している。なお、本発明では、大径側内縁２３ａ、２３ｂ、２３ｃの曲率半径を有する円弧を「基準円弧」と称している。
【００１５】
（乗り越え部分）
さらに、角度保持溝２２ｂについては、大径側内縁２３ｂ（基準円弧に同じ）に、小径側内縁２４ｂに向かって突出している三角形状の乗り越え部分２５１、２５２・・・２５６が形成されている（以下、それぞれを「乗り越え部分２５」と総称する）。
乗り越え部分２５１、２５２・・・２５６は平面上で略三角形（山形）であって、角度保持溝２２ｂの中央側の斜面である内側斜面２６１、２６２・・・２６６（以下、それぞれを「内側斜面２６」と総称する）と、角度保持溝２２ｂの中央とは反対側の斜面である外側斜面２７１、２７２・・・２７６（以下、それぞれを「外側斜面２７」と総称する）とを有し、内側斜面２６１、２６２・・・２６６と外側斜面２７１、２７２・・・２７６とは略円弧状の乗り越え頂点２８１、２８２・・・２８６（以下、それぞれを「乗り越え頂点２８」と総称する）によってなめらかに繋がっている。
なお、乗り越え部分２５同士の間にある大径側内縁２３ｂを落ち込み面２９１、２９２・・・２９７（以下、それぞれを「落ち込み面２９」と総称する）と称す。
【００１６】
内側斜面２６が落ち込み面２９（基準円弧）となす傾斜角度である「内側傾斜角度Ａ」は、外側斜面２７が落ち込み面２９（基準円弧）となす傾斜角度である「外側傾斜角度Ｂ」よりも小さくなっている（Ａ＜Ｂ）。
すなわち、内側斜面２６１が落ち込み面２９２となす角度である「内側傾斜角度Ａ１」は、外側斜面２７１が落ち込み面２９１となす角度である「外側傾斜角度Ｂ１」よりも小さく（Ａ１＜Ｂ１）、内側斜面２６２が落ち込み面２９３となす角度である「内側傾斜角度Ａ２」は、外側斜面２７２が落ち込み面２９２となす角度である「外側傾斜角度Ｂ２」よりも小さく（Ａ２＜Ｂ２）、以下同様になっている。
さらに、角度保持溝２２ｂの中央から離れる程、内側傾斜角度Ａは徐々に小さくなり、一方、外側傾斜角度Ｂは徐々に大きくなっている。すなわち、「Ａ１＜Ａ２＜Ａ３」および「Ａ４＞Ａ５＞Ａ６」であり、一方、「Ｂ１＞Ｂ２＞Ｂ３」および「Ｂ４＜Ｂ５＜Ｂ６」である。
【００１７】
（作用効果）
図４において、固定突起１２が乗り越え部分２５を乗り越える際に、固定突起１２が乗り越え部分２５を押し付ける力を「乗り越え力Ｑ］としている。
乗り越え力Ｑは、固定突起１２が乗り越え部分２５を乗り越える際に、風向板３０の固定側薄肉部分３３および可動側薄肉部分３５はそれぞれ水平面に垂直な面内において弾性変形する（固定側水平部分３１の固定板１０への固定部分と、可動側垂直部分３６の可動板２０への固定部分との間隔が変動する）ために発生する。なお、乗り越え力Ｑは、正確には、固定突起１２と乗り越え頂点２８（落ち込み面２９）との距離に応じて変動するものであるが、説明を簡単にするため、一定にしている。
【００１８】
そうすると、固定突起１２が内側斜面２６を乗り越える際、固定突起１２と内側斜面２６との間の摩擦係数を「μ」とすると、固定突起１２に作用する内側斜面２６を下る方向に作用する「乗り越え阻止力」は、内側斜面２６に垂直な方向に作用する力（ＱcosＡ）と摩擦係数（μ）との積である摩擦力（μＱcosＡ）によって減少される（式１の右辺参照）。また、同様に、固定突起１２が外側斜面２７を乗り越える際、固定突起１２と外側斜面２７との間の摩擦係数を「μ」とすると、固定突起１２に作用する外側斜面２７を下る方向に作用する「乗り越え阻止力」は、外側斜面２７に垂直な方向に作用する力（ＱcosＢ）と摩擦係数（μ）との積である摩擦力（μＱcosＢ）によって減少される（式２右辺参照）。
【００１９】
また、羽根部分３４が固定板１０の長手方向に対して垂直の状態のとき、固定突起１２が角度保持溝２２の中央に位置し、固定側薄肉部分３３および可動側薄肉部分３５は曲げ変形していない。
そして、固定突起１２が角度保持溝２２の中央から離れた位置において、固定側薄肉部分３３および可動側薄肉部分３５は曲げ変形（水平面においてく字状に屈曲）するため、固定側薄肉部分３３および可動側薄肉部分３５の曲げ変形量を低減させる方向（基準円弧の周方向に同じ）で、固定突起１２を角度保持溝２２の中央に近づける方向に作用する（羽根部分３４を固定板１０の長手方向に対して垂直の状態に戻そうとする）「弾性復元力Ｒ」が発生する。
【００２０】
そのため、外側移動（固定突起１２を角度保持溝２２の中央から離れる方向に移動）する際には、弾性復元力Ｒは外側移動を阻止する方向（内側斜面２６を下る方向）に作用し、一方、内側移動（固定突起１２を角度保持溝２２の中央に近づける方向に移動）する際には、前記弾性復元力は内側移動を助ける方向（外側斜面２７を登る方向）に作用する。
なお、固定突起１２が角度保持溝２２の中央から離れる程、固定側薄肉部分３３および可動側薄肉部分３５の曲げ変形量が増大するから、かかる増大に伴って、弾性復元力Ｒも増大する。
【００２１】
そうすると、外側移動に必要な力（基準円弧の周方向の力）を「外側移動操作力Ｔｓ」とすると、可動板２０に外側移動操作力Ｔｓを付与した際、外側移動操作力Ｔｓは弾性復元力Ｒ分だけ減少され、固定突起１２を内側斜面２６を登らせる方向の「斜面平行成分（Ｔｓ−Ｒ）cosＡ」が作用するものの、「斜面平行成分（Ｔｓ−Ｒ）cosＡ」は、内側斜面２６に垂直な方向に作用する力（（Ｔｓ−Ｒ）sinＡ）と摩擦係数（μ）との積である摩擦力（μ（Ｔｓ−Ｒ）sinＡ）によって減少される（式１の左辺参照）。
【００２２】
また、内側移動に必要な力（基準円弧の周方向の力）を「内側移動操作力Ｔｃ」とすると、可動板２０に内側移動操作力Ｔｃを付与した際、内側移動操作力Ｔｃは弾性復元力Ｒ分だけ増加され、固定突起１２を外側斜面２７を登らせる方向の「斜面平行成分（Ｔｃ＋Ｒ）cosＢ」が作用するものの、「斜面平行成分（Ｔｃ＋Ｒ）cosＢ」は、外側斜面２７に垂直な方向に作用する力（（Ｔｃ＋Ｒ）sinＢ）と摩擦係数（μ）との積である摩擦力（μ（Ｔｃ＋Ｒ）sinＢ）によって減少される（式２の左辺参照）。
【００２３】
そして、式１および式２は、それぞれ式３および式４に書き改められるから、結局、外側移動操作力Ｔｓと内側移動操作力Ｔｃとの差である「移動力差ΔＴｓｃ」は式５によって表示される。
すなわち、式５の右辺第１項は、内側斜面２６の内側傾斜角度Ａと外側斜面２７の外側傾斜角度Ｂとが等しい場合の移動力差ΔＴｓｃを示し、式５の右辺第２項は、内側傾斜角度Ａと外側傾斜角度Ｂとが相違する場合の移動力差ΔＴｓｃの変化量を示している。そして、内側傾斜角度Ａは外側傾斜角度Ｂよりも小さいから、式５の右辺第２項（マイナス項）の中括弧内は「正の値」となり、移動力差ΔＴｓｃは減少する。
【００２４】
よって、可動板２０（固定突起１２）を移動する際、移動する方向によって移動のために必要な操作力の差が小さくなるから、可動板２０を手動で移動する際における操作の違和感が少なくなる。また、可動板２０を電動モーターによって移動させる際には、電動モーターの負荷が均一化され、駆動が円滑になると共に、電動モーターの容量（定格）を小さくすることが可能になる。
なお、式３の右辺第１項の分子の値は「正」であることが望ましいため、摩擦係数μが０．３程度であるとき、内側傾斜角度Ａは略２０°（tan（２０°）≒０．３６）以上であることが望ましく、式４の右辺第１項の分母の値は「正」であることが望ましいため、摩擦係数μが０．３程度であるとき、外側傾斜角度Ｂは略７０°（tan（７０°）≒２．７５）以下であることが望ましい。
【００２５】
さらに、前記のように、固定突起１２が角度保持溝２２の中央から離れる程、弾性復元力Ｒも増大している。すなわち、乗り越え部分２５１、２５２・・・２５６における弾性復元力Ｒをそれぞれ「Ｒ１、Ｒ２・・・Ｒ６」とすると、「Ｒ１＞Ｒ２＞Ｒ３」および「Ｒ４＜Ｒ５＜Ｒ６」になる。
また、角度保持溝２２ｂの中央から離れる程、内側傾斜角度Ａは徐々に小さくなり、一方、外側傾斜角度Ｂは徐々に大きくなっている。すなわち、「Ａ１＜Ａ２＜Ａ３」および「Ａ４＞Ａ５＞Ａ６」であり、一方、「Ｂ１＞Ｂ２＞Ｂ３」および「Ｂ４＜Ｂ５＜Ｂ６」である。
【００２６】
そして、乗り越え部分２５１、２５２・・・２５６における外側移動操作力Ｔｓおよび内側移動操作力Ｔｃを、それぞれ「Ｔｓ１、Ｔｓ２・・・Ｔｓ６」および「Ｔｃ１、Ｔｃ２・・・Ｔｃ６」とする。
そして、Ｔｓ１を求めるために式３にＡ１およびＲ１を代入し、Ｔｓ２を求めるために式３にＡ２およびＲ２とを代入した際、Ｔｓ１を求める式３の第２項は、Ｔｓ２を求める式３の第２項よりも大きな値になるものの、Ｔｓ１を求める式３の第１項は、Ｔｓ２を求める式３の第１項よりも小さい値になるため、Ｔｓ１とＴｓ２との差が小さくなっている。また、同様に、Ｔｓ２とＴｓ３との差、Ｔｓ４とＴｓ５との差、Ｔｓ５とＴｓ６との差が小さくなる。さらに、式４においても、同様に、Ｔｃ１とＴｃ２との差、Ｔｃ２とＴｃ３との差等が小さくなっている。
【００２７】
よって、複数の乗り越え部分２５を連続して乗り越える場合、それぞれを乗り越える際の外側移動操作力Ｔｓの変動量や内側移動操作力Ｔｃの変動量が小さくなる（均一になる）ため、可動板２０を手動で移動する際における操作の違和感がさらに少なくなる。また、可動板２０を電動モーターによって移動させる際には、電動モーターの負荷がさらに均一化され、駆動がさらに円滑になると共に、電動モーターの容量（定格）を小さくすることが可能になる。
なお、風向調整機構１００は、内側傾斜角度Ａが外側傾斜角度Ｂよりも小さく（要件１）、角度保持溝２２の中央から離れる程、内側傾斜角度Ａは徐々に小さくなり（要件２）、外側傾斜角度Ｂは徐々に大きくなっている（要件３）が、本発明は前記要件１を有する限り、要件２、３を全て有するものに限定するものではない。例えば、要件２、３を全く有しないもの、あるいは、要件２のうち「Ａ１＜Ａ２＜Ａ３」を有するものの、「Ａ４＞Ａ５＞Ａ６」を有しないものであってもよい。
【００２８】
［実施の形態２］
（空気調和機の室内機）
図５〜図９は、本発明の実施の形態２に係る空気調和機の室内機を説明するものであって、図５は斜め上方から斜め下方を見た斜視図、図６は部材を分離して示す斜め上方から斜め下方を見た斜視図、図７は断面図、図８は斜め下方から斜め上方を見た斜視図、図９は一部を拡大して示す斜め下方から斜め上方を見た斜視図である。なお、実施の形態１と同じ部分にはこれと同じ符号を付し、一部の説明を省略する。
【００２９】
図５〜図９において、空気調和機の室内機（以下「室内機」と称する）２００は、吸引口１ａおよび吹出口１ｂが形成され、前面側の開口部（図示しない）を開閉する意匠パネル４を具備する筐体１と、室内の壁面（図示しない）に設置された基台２と、筐体１内に配置され、吸引口１ａから吹出口１ｂに至る風路８を形成する送風ファン６と、風路８内に配置され、冷凍サイクルの一部を実行する熱交換器３と、熱交換器３の下方に配置され、熱交換器３から滴下するドレン水を受け止めるドレンピット７と、吹出口１ｂに配置され、吹出口１ｂを開閉すると共に、熱交換器３において調和された空気（以下、「調和空気」と称する）の上下方向の吹出方向を調整する上下方向フラップ９と、を有している。
【００３０】
そして、吹出口１ｂよりも上流の位置でドレンピット７の下面に、調和空気の左右方向の吹出方向を調整する左風向調整機構１００Ｌおよび右風向調整機構１００Ｒが設置され、熱交換器３（冷凍サイクル）、送風ファン６、上下方向フラップ９および左右方向フラップ３０を制御する制御機器（図示しない）を収納した電気室５が、基台２に設置されている。
【００３１】
左風向調整機構１００Ｌおよび右風向調整機構１００Ｒは、実施の形態１において説明した風向調整機構１００に同じものである。したがって、左風向調整機構１００Ｌを構成する各部位については符号の子番に「Ｌ」を付し、右風向調整機構１００Ｒを構成する各部位については符号の子番に「Ｒ」を付し、説明を省略する。
室内機２００は、左風向調整機構１００Ｌの掴み用突起４１Ｌおよび右風向調整機構１００Ｒの掴み用突起４１Ｒが、吹出口１ｂに近い位置に配置されているから、上下方向フラップ９を回動して吹出口１ｂが開いた状態において、ユーザー（使用者）は、掴み用突起４１Ｌおよび掴み用突起４１Ｒを容易に掴むことができる。
よって、左右方向フラップ３０ａＬ、３０ｂＬ・・・３０ｆＲ（風向板３０に同じ）の方向を容易に変更することができる。このとき、実施の形態１において説明したように、調和空気の吹出方向を変更する際における操作の違和感が少なくなっている。
【００３２】
なお、可動板２０Ｌや可動板２０Ｒ（可動板２０に同じ）を電動モーターによって移動させる際には、電動モーターの負荷がさらに均一化され、駆動がさらに円滑になると共に、電動モーターの容量（定格）を小さくすることが可能になる。このとき、掴み用拡張部４０Ｌ、４０Ｒや掴み用突起４１Ｌ、４０Ｒを撤去してもよい。
なお、以上は、実施の形態１において説明した風向調整機構１００が、室内の壁面に設置され空気調和機の室内機２００に２台だけ搭載されているが、本発明はこれに限定するものではなく１台でも３台以上であってもよい。さらに、室内機２００に代えて、天井面に設置される天井埋め込み式の空気調和機の室内機や、壁面に形成された貫通孔や窓に設置される換気装置、さらには各種送風機に搭載してもよい。
【符号の説明】
【００３３】
１  筐体、１ａ  吸引口、１ｂ  吹出口、２  基台、３  熱交換器、４  意匠パネル、５  電気室、６  送風ファン、７  ドレンピット、８  風路、９  上下方向フラップ、１０  固定板、１１  表面、１２ａ  固定突起、１２ｂ  固定突起、１２ｃ  固定突起、２０  可動板、２１  表面、２２ａ  角度保持溝、２２ｂ  角度保持溝、２２ｃ  角度保持溝、２３ａ  大径側内縁、２３ｂ  大径側内縁、２３ｃ  大径側内縁、２４ａ  小径側内縁、２４ｂ  小径側内縁、２４ｃ  小径側内縁、２５  乗り越え部分（総称）、２５１  乗り越え部分、２５２  乗り越え部分、２５３  乗り越え部分、２５４  乗り越え部分、２５５  乗り越え部分、２５６  乗り越え部分、２６  内側斜面（総称）、２６１  内側斜面、２６２  内側斜面、２６３  内側斜面、２６４  内側斜面、２６５  内側斜面、２６６  内側斜面、２７  外側斜面（総称）、２７１  外側斜面、２７２  外側斜面、２７３  外側斜面、２７４  外側斜面、２７５  外側斜面、２７６  外側斜面、２８  乗り越え頂点（総称）、２８１  乗り越え頂点、２８２  乗り越え頂点、２８３  乗り越え頂点、２８４  乗り越え頂点、２８５  乗り越え頂点、２８６  乗り越え頂点、２９  落ち込み面（総称）、２９１  落ち込み面、２９２  落ち込み面、２９３  落ち込み面、２９４  落ち込み面、２９５  落ち込み面、２９６  落ち込み面、３０ａ  風向板（左右方向フラップ）、３０ｂ  風向板（左右方向フラップ）、３０ｃ  風向板（左右方向フラップ）、３０ｄ  風向板（左右方向フラップ）、３０ｅ  風向板（左右方向フラップ）、３０ｆ  風向板（左右方向フラップ）、３１ａ  固定側水平部分、３１ｂ  固定側水平部分、３１ｃ  固定側水平部分、３１ｄ  固定側水平部分、３１ｅ  固定側水平部分、３１ｆ  固定側水平部分、３２ａ  固定側垂直部分、３２ｂ  固定側垂直部分、３２ｃ  固定側垂直部分、３２ｄ  固定側垂直部分、３２ｅ  固定側垂直部分、３２ｆ  固定側垂直部分、３３ａ  固定側薄肉部分、３３ｂ  固定側薄肉部分、３３ｃ  固定側薄肉部分、３３ｄ  固定側薄肉部分、３３ｅ  固定側薄肉部分、３３ｆ  固定側薄肉部分、３４ａ  羽根部分、３４ｂ  羽根部分、３４ｃ  羽根部分、３４ｄ  羽根部分、３４ｅ  羽根部分、３４ｆ  羽根部分、３５ａ  可動側薄肉部分、３５ｂ  可動側薄肉部分、３５ｃ  可動側薄肉部分、３５ｄ  可動側薄肉部分、３５ｅ  可動側薄肉部分、３５ｆ  可動側薄肉部分、３６ａ  可動側垂直部分、３６ｂ  可動側垂直部分、３６ｃ  可動側垂直部分、３６ｄ  可動側垂直部分、３６ｅ  可動側垂直部分、３６ｆ  可動側垂直部分、４０  掴み用拡張部、４１  掴み用突起、１００  風向調整機構（実施の形態１）、１００Ｌ  左風向調整機構（実施の形態２）、１００Ｒ  右風向調整機構（実施の形態２）、２００  空気調和機の室内機（実施の形態２）、Ａ  内側傾斜角度（総称）、Ａ１  内側傾斜角度、Ａ２  内側傾斜角度、Ａ３  内側傾斜角度、Ａ４  内側傾斜角度、Ａ５  内側傾斜角度、Ａ６  内側傾斜角度、Ｂ  外側傾斜角度（総称）、Ｂ１  外側傾斜角度、Ｂ２  外側傾斜角度、Ｂ３  外側傾斜角度、Ｂ４  外側傾斜角度、Ｂ５  外側傾斜角度、Ｂ６  外側傾斜角度、Ｑ  乗り越え力、Ｒ  弾性復元力、Ｔｃ  内側移動操作力、Ｔｓ  外側移動操作力。
【図１】
2014119176.tif 000003
【図２】
2014119176.tif 000004
【図３ａ】
2014119176.tif 000005
【図３ｂ】
2014119176.tif 000006
【図３ｃ】
2014119176.tif 000007
【図４】
2014119176.tif 000008
【図５】
2014119176.tif 000009
【図６】
2014119176.tif 000010
【図７】
2014119176.tif 000011
【図８】
2014119176.tif 000012
【図９】
2014119176.tif 000013